(57)【特許請求の範囲】
【請求項１】
靴製品に適した靴底であって、
地面接触面において後ろから前へ順に前記靴底に沿って、踵部と中足部と母子球部と前足部とを含み、
前記踵部、前記中足部および前記母子球部はそれぞれ、前記靴底の装着時に足のアーチの下側のアーチ領域に隣接し、
前記靴底は、
略Ｓ字状の適正歩行接地線に沿って延びる第１靴底部と、
前記適正歩行接地線の両側に沿って延びる第２靴底部とを含み、
前記適正歩行接地線は、前記踵部から開始し、外側中足部を経て前記母子球部の中央部を通って内側前足部まで延び、
前記第１靴底部の局所的厚さＴおよび／または局所的硬度Ｈは、前記第１靴底部に隣接する前記第２靴底部の局所的厚さＴおよび／または局所的硬度Ｈよりも大きく、
前記靴底は、足接触面に固定されるかまたは前記靴底部の前記足接触面の直下に埋設されるインソールを含み、前記インソールは、前記靴底よりもより幅が短く、前記適正歩行接地線に沿って延び、前記インソールの周りの靴底材料よりも硬度が高い材料から形成されることを特徴とする靴底。
【請求項２】
前記第１靴底部の局所的厚さは、前記第２靴底部の局所的厚さよりも大きく、前記第１靴底部および前記第２靴底部は、同じ硬度でもよい、ことを特徴とする請求項１に記載の靴底。
【請求項３】
前記靴底全体が１つの硬度値を有する１種類の材料からなる、ことを特徴とする請求項２に記載の靴底。
【請求項４】
前記靴底は隆起部を含み、前記隆起部は、その地面に対向する下面から突出し、少なくとも前記適正歩行接地線に沿って延びることを特徴とする請求項１〜３のいずれか１項に記載の靴底。
【請求項５】
前記隆起部は、前記適正歩行接地線に直交する面において台形断面（台形厚さプロファイル）を有し、第１台形基線により、前記靴底表面の台地状領域が画定され、第２台形基線により、前記隆起部と前記靴底のバルク（残り）との間の遷移領域が画定され、前記第２台形基線は、前記第１台形基線よりも長いことを特徴とする請求項４に記載の靴底。
【請求項６】
前記隆起部は、前記適正歩行接地線に直交する面において矩形断面（矩形厚さプロファイル）を有し、第１矩形基線により、前記靴底表面の台地状領域が画定され、第２矩形基線により、前記隆起部と前記靴底のバルク（残り）との間に遷移領域が画定され、前記第２矩形基線は、前記第１矩形基線と同じ長さを有することを特徴とする請求項４に記載の靴底。
【請求項７】
前記隆起部は、前記適正歩行接地線に直交する面において曲凸状断面（曲凸状の厚さプロファイル）を有し、曲線により、前記靴底表面のビーズ状またはレンズ状の領域が画定され、基線により、前記曲凸状の隆起部と前記靴底のバルク（残り）との間の遷移領域が画定されることを特徴とする請求項４に記載の靴底。
【請求項８】
前記第１靴底部の局所的硬度は、前記第２靴底部の局所的硬度よりも高く、前記第１靴底部および前記第２靴底部は、同じ厚さを有することを特徴とする請求項１に記載の靴底。
【請求項９】
前記靴底全体が実質的に同じ厚さを有することを特徴とする請求項８に記載の靴底。
【請求項１０】
前記靴底は硬質領域を含み、前記硬質領域は、前記靴底の周囲の軟質領域よりも硬度が大きく、少なくとも前記適正歩行接地線の部分に沿って延びることを特徴とする請求項１、８または９に記載の靴底。
【請求項１１】
前記硬質領域は、前記適正歩行接地線に直交する面において台形硬度プロファイルを有し、前記台形硬度プロファイルは、最大硬度コア領域を画定し、前記最大硬度コア領域の両側の硬度低下遷移領域を画定し、前記最大硬度コア領域から前記硬度低下遷移領域に向けて硬度が徐々に低減することを特徴とする請求項１０に記載の靴底。
【請求項１２】
前記硬質領域は、前記適正歩行接地線に直交する面において矩形硬度プロファイルを有し、前記矩形硬度プロファイルは、最大硬度コア領域を画定し、前記最大硬度コア領域の両側により低硬度の前記軟質領域を有する領域を画定することを特徴とする請求項１０に記載の靴底。
【請求項１３】
前記硬質領域は、前記適正歩行接地線に直交する面において曲凸状の硬度プロファイルを有し、前記曲凸状の硬度プロファイルは、最大硬度部を画定し、前記最大硬度部の両側において硬度低下遷移領域を画定し、硬度は、前記最大硬度部からより低硬度の前記軟質領域へと徐々に低減することを特徴とする請求項１０に記載の靴底。
【請求項１４】
前記第１靴底部と前記第２靴底部との局所的厚さおよび／または局所的硬度の差は、前記踵部と前記母子球部との間にある前記中足部において最大となることを特徴とする請求項１〜１３のいずれか１項に記載の靴底。
【請求項１５】
前記適正歩行接地線上の前記第１靴底部および／または前記適正歩行接地線の両側の前記第２靴底部は、複数のスリットを含み、前記複数のスリットは、前記靴底の長さ方向において前記適正歩行接地線に沿って間隔を空けて配置され、前記適正歩行接地線を跨いで前記靴底の横断方向に延びることを特徴とする請求項１〜１４のいずれか１項に記載の靴底。
【請求項１６】
前記母子球部は、第１中足骨部と第２中足骨部と第３中足骨部と第４中足骨部と第５中足骨部とを前記靴底の内側Ｍおよび外側Ｌ間に有し、
−前記第１中足骨部の厚さおよび／または硬度は、前記第２中足骨部の厚さおよび／または硬度よりも大きく、
−前記第３中足骨部の厚さおよび／または硬度は、前記第４中足骨部の厚さおよび／または硬度よりも小さい、
−前記第４中足骨部の厚さおよび／または硬度は、前記第５中足骨部の厚さおよび／または硬度よりも小さいことを特徴とする請求項１〜１５のいずれか１項に記載の靴底。
【請求項１７】
前記第２中足骨部の厚さおよび／または硬度は、前記第３、第４および第５中足骨部のいずれの厚さおよび／または硬度よりも小さいことを特徴とする請求項１６に記載の靴底。
【請求項１８】
前記中足部における局所的に厚くおよび／または硬い第１靴底部の、前記適正歩行接地線を跨いで測定された幅は、前記踵部の局所的に厚くおよび／または硬い第１靴底部の前記適正歩行接地線上において測定された幅よりも小さいことを特徴とする請求項１〜１７のいずれか１項に記載の靴底。
【請求項１９】
前記中足部の局所的に厚くおよび／または硬い第１靴底部分の適正歩行接地線上において測定された幅は、前記母子球部の局所的に厚くおよび／または硬い第１靴底部分の前記適正歩行接地線上において測定された幅よりも小さいことを特徴とする請求項１〜１８のいずれか１項に記載の靴底。
【請求項２０】
前記踵部の前記局所的に厚くおよび／または硬い第１靴底部分の局所的厚さＴおよび／または前記局所的硬度Ｈは、前記靴底の内側から外側へ向かって低減する、ことを特徴とする請求項１〜１９のいずれか１項に記載の靴底。
【発明の詳細な説明】
【技術分野】
【０００１】
本発明は、靴製品に適した靴底に関する。
【背景技術】
【０００２】
典型的には、このような靴底は、後ろから前へ順に、靴底に沿って踵部、中足部、母子球部および前足部を含む。踵部、中足部および母子球部はそれぞれ、この靴底を装着している足のアーチの下のアーチ領域に隣接して設けられる。
【０００３】
このような靴底の使用により、主にランニングまたは歩行時における地面からの衝撃を減衰させるために足用クッション要素を靴底の踵部、中足部、母子球部および前足部の一部または全体に設けることおよび／または（主に足を安定化させることおよびランニング方向または歩行方向（長さ方向）を横断する方向における足の傾きを抑止または少なくとも最小化するために）支持要素を靴底の下面全体に分散させることにより、使用者の快適性が向上する。
【発明の概要】
【発明が解決しようとする課題】
【０００４】
このような靴底を備えた靴を長時間装着した場合、これらの靴の装着者は、積極的に正しい歩き方をしなくなる。最終的には、このような装着者の多くは、自然な、すなわち「正しい」歩き方を忘れてしまう。不自然な、すなわち「不正確な」歩行を長期間続けた場合、全身への悪影響（例えば、膝、臀部および背中の問題）が発生し得ることが分かっている。一方、自然な歩き方を「再発見」することができれば、装着者の身体における多数の問題を軽減し、さらには取り除くことができることがわかっている。
【０００５】
（短距離走の場合を除き）全ての人にとって実際に自然な、すなわち「正しい」歩き方は以下の順に行われることが判明している。
【０００６】
−先ず、第１の足が踵で地面と接触し、あるいは踵と中足部で同時に地面と接触する。  −次に、第１の足は、若干の足変形を伴って（理想的には滑り無しに）地面をロールし始め、第１の足の靴底が、踵部または中足部、母子球部および前足部の順序で地面と接触する。
【０００７】
−この第１の足のロール動作の最後に、第１の足が地面から浮き上がるのと同時に、第２足が先ず踵で地面と接触し、あるいは踵と中足部で同時に地面と接触する。
【０００８】
−次に、第２の足は、若干の足変形を伴って（理想的には滑り無しに）地面をロールし始め、第２の足の靴底が、踵部または中足部、母子球部および前足部の順序で地面と接触する。
【０００９】
−第２の足のロール動作の最後に、第２の足が地面から浮き上がるのと同時に、第１の足が再度先ず踵で地面と接触し、あるいは踵と中足部で同時に地面と接触し、この順序が継続する。
【００１０】
上記のように足が地面と交互に接触する中で、狭いにしろ広いにしろ不鮮明な地面接触線が各足の靴底上に描かれる。健康な骨、腱、筋肉および神経を有し、自然な歩行を行う人の場合、この最適な地面接触線は典型的には、各足の靴底においてほぼＳ字形状の線であり、踵部から開始し、中足部および母子球部を経て、（典型的には第１中足骨および第２中足骨ならびに第１つま先および第２つま先の領域中の前足部の内側において）前足部まで伸びている。
【００１１】
本発明の目的は、歩行時およびランニング時に、この最適な地面接触線を描くことを支援することにある。
【課題を解決するための手段】
【００１２】
本発明により提供される靴底は、靴製品に適している。靴底は、地面接触面において後ろから前へ順に靴底に沿って、踵部、中足部、母子球部および前足部を含み、踵部、中足部および母子球部はそれぞれ、靴底の装着時に足のアーチの下側のアーチ領域に隣接し、靴底は、歩行またはランニング時に最適な地面接触の略Ｓ字状の線に沿って延びる第１靴底部分を含み、線は踵部から開始し、中足部および母子球部に沿って延び、前足部で終端する。靴底は、略Ｓ字状の線の両側に沿って延びる第２靴底部を含む。第１靴底部分の局所的厚さおよび／または局所的硬度は、第１靴底部分に隣接する第２靴底部の局所的厚さおよび／または局所的硬度よりも大きい。本発明によれば、靴底は、インソールを含む。インソールは、足接触面に固定されるか、または、靴底の足接触面の直下に埋設される。インソールは、靴底よりも狭い幅延長部を有し、略Ｓ字状の線に沿って延びる。
【００１３】
インソールは、靴底の足接触面またはその近隣に設けられているため、本発明による靴底を備えた靴を装着している歩行者またはランナーにおいて、インソールと自身の足の下面との間の圧力が増加または集中する。その結果、歩行者またはランナーは、略Ｓ字状の線を自身の足の下面における圧力線として感じる。
【００１４】
最適な地面接触の略Ｓ字状の線に沿った局所的長さ方向または接線方向を横断する断面方向における靴底のこの厚さプロファイルおよび／または硬度プロファイルに起因して、各足において良好に固定された本発明の靴底を装着した人は、この線の外部に配置された点以外のこの線（第１靴底部分）上に配置された点（すなわち、この線から外れた点（第２靴底部）からより多くの「圧力」または「支持」を感じるため、歩行またはランニング時に、最適な地面接触線から逸脱した場合、必ず「瞬時のフィードバック」および「感触」を経験する。
【００１５】
「圧力」または「支持」または「圧力」または「支持力」という表現は、本文中において類義語として用いられ、全て、単位面積あたりの平均的な測定力として定義される。この力は、画定された領域を有する水平方向の平面力受容表面を有する垂直方向に感知する力計測器を用いて測定される。「圧力」または「支持」または「圧力」または「支持力」の値は、「力受容面上に作用する測定垂直力を力受容面の面積で除算した値」として計算される。典型的な支持力値は、起立時に測定される静的支持力または歩行時に測定される瞬時の動的支持力（より詳細には、地面上における足のロール動作時における靴底の地面接触領域内における局所的に作用する反作用力（地面力））に関連し得る。  最適な地面接触線を通過する各足ロール動作の時の静的重量および動的力に起因する動的力ベクトルの方向にある限り、足を横方向に（外方向に）傾けさせるかまたは中間方向に（内方向に）（すなわち、脛骨に対する歩行方向またはランニング方向を横断する方向に）傾けさせる傾き動作はゼロであるかまたは少なくともほとんど発生しない。
【００１６】
しかし、各足のロール動作時における静的重量および動的力に起因する動的力ベクトルの方向が最適な地面接触線を通過しない場合、一定の傾き動作が足に発生して、足を横方向に（すなわち、脛骨に対して歩行方向またはランニング方向を横断する方向に）傾けさせる。このような脛骨に対する足の横方向または中間方向の傾きは、容易に人に検出／知覚／感知されるため、本発明の靴底を装着している歩行者またはランナーへ上記したフィードバックが提供される。
【００１７】
その結果、良好に固定された本発明の靴底を各足に装着している人は、最適な地面接触線から逸脱する度に、自身の全身を若干再配置することができる（姿勢の変更およびよって歩行の変更＝歩行修正）。その結果、当該人物は、ロール動作時に、靴底硬度および／または靴底厚さによって画定された対応する最適な地面接触線上の各足により、意識的に積極的なかつ動的な「バランスをとる行動」をより多くまたは少なくとることができる。このような各足の動的なバランスをとるまたはフィードバック制御されるロール動作において、身体の多数の部分（すなわち、足関節、膝関節、臀部関節、脊柱ならびに関連付けられた腱、筋肉、神経）が用いられ、全身上に有利な影響が得られる。
【００１８】
略Ｓ字状の線に沿って延び足に接触するインソールにより、歩行者またはランナーに対する上記したフィードバックが得られる。よって、歩行者またはランナーは、歩行またはランニング時に自身の足または他方の上記した身体部分がその理想的位置および動きから逸脱するのを検出することができる。（固有受容）。好適には、インソールは、インソールの周囲の靴底材料の硬度よりも高い硬度の材料から構成される。
【００１９】
このようなより高硬度のインソールを用いることにより、歩行者のまたはランナーの固有受容がさらに向上する。加えて、靴底の構造的安定性（形状安定性）も向上するため、靴底の摩耗または全体的剛性の早期損失が防止される。
【００２０】
上記した第１インソールに加えて、第２インソールを好適には他方に設け、靴底の厚さ方向に沿って間隔を空けて配置するとよい。硬度が類似するかまたは異なる２つのインソールを用いることにより、靴底の構造的安定性の調節が可能になる。１つまたは２つのインソールに代えて、あるいはこれに加えて、ダンピングインソール（インサート）が靴底内に埋設され得る。このようなダンピングインソールは、発泡材料から構成され得、ダンピング流体を含み得る。
【００２１】
本発明による靴底の第１実施形態において、第１靴底部分（すなわち、最適な地面接触の略Ｓ字状の線上に配置された部分または「線上の」部分）の局所的厚さは、第１靴底部分に隣接する第２靴底部（すなわち、最適な地面接触の略Ｓ字状の線に隣接する部分または「線から外れた」部分）の局所的厚さよりも大きく、第１靴底部分および第２靴底部は、同じ硬度を有してもよい。その結果、第１靴底部分および第２靴底部を１種類の材料によって（例えば、１種類の材料を１つの型で射出成形することにより）構成することが可能になる。もちろん、第１（線上の）部分および１つまたは２つの第２（線から外れた）部分（典型的には略Ｓ字状の線の各側にあるもの）からなる各横断「組」について、特定の硬度を有する特定の材料を用いることが可能である。このようにして、略Ｓ字状の線に沿って縦様態で位置合わせされた全ての横断組により、異なる硬度値を有する硬度プロファイルを略Ｓ字状の線に沿って画定することができる（すなわち、「線に沿った」硬度プロファイル）。よって、異なる材料による組を用いることによって構成され、異なる形状を有し、「線に沿って」整列された個別化された靴底得ることができる。整列された後、これらの個々の組を相互に取り付けることにより永久接合し、かつ／または、共通靴底部分（例えば、中間靴底）へ接着または溶接によって永久接合することができる。この第１実施形態において、靴底全体が、１つの硬度値を有する１種類の材料から形成されてもよい。その結果、靴底全体（すなわち、全ての組）は、１つの成形プロセス（例えば、射出成形）のみを用いて構成されるように、線に沿って位置合わせされ、間隔を空けて配置される。
【００２２】
好適には、この第１実施形態において、靴底は、隆起部を含む。この隆起部は、地面に対向する下面から突出し、少なくとも略Ｓ字状の線の部分に沿って延びる。その結果、各足にこの靴底を着用している人は、突出線（第２靴底部）から離れた点よりもこの突出線（第１靴底部分）上に配置された点において、より大きな圧力／支持を感じる。人が各足のロール動作時における静的重量および動的力に起因する自身の動的力ベクトルを移動させることでこの動的ベクトルがこの突出線を通過しなくなると、当該人物は、この最適な地面接触の突出線から逸脱する度に、歩行またはランニング時に上記した「瞬時のフィードバック」を経験および「感じる」。
【００２３】
この隆起部は、異なる断面形状（すなわち、異なる厚さプロファイル）を有してもよい。このような異なる断面形状により、歩行またはランニング時にこの線上において動的にバランスをとるために、異なるレベルの技術が必要とされてもよい。
【００２４】
第１実施形態の第１変形例において、隆起部は、略Ｓ字状の線に直交する面において台形断面（台形厚さプロファイル）を有してもよい。第１台形基線により、靴底表面の台地状(plateau-like)領域が画定され、第２台形基線により、台形隆起部と靴底のバルク（残り）との間において傾き付き遷移領域が画定され、第２台形基線は、第１台形基線よりも長い。動的力ベクトルが台地状領域（より厚い領域）を通過する限り、当該人物は、靴底からの強い支持を感じる。動的力ベクトルが傾き付き遷移領域（厚さ低減領域）の１つを通過すると、台地状領域上のいずれかの側の支持が弱くなり、当該人物は、若干の支持低下を足関節の若干の傾きと共に感じる。  第１実施形態の第２変形例において、隆起部は、略Ｓ字状の線に直交する面において矩形断面（矩形厚さプロファイル）有してもよく、第１矩形基線により、靴底表面の台地状領域が画定され、第２矩形基線により、急速遷移領域（すなわち、極めてきつい傾き）が矩形隆起部と靴底のバルク（残り）との間に画定され、第２矩形基線は、第１矩形基線と同じ長さを有する。この場合も、動的力ベクトルが台地状領域（より厚い領域）を通過する限り、当該人物は、靴底から強い支持を感じる。動的力ベクトルが台地状領域のいずれかの側部のより弱い支持と共に急速遷移領域のうちの１つを通過するかまたはこれらの領域を超えた直後、当該人物は、足関節のおそらくはより強い傾き（台形断面の場合よりもより強い傾き）と共により強い支持低下を感じる。
【００２５】
台形厚さプロファイルを用いた第１変形例および矩形厚さプロファイルを用いた第２変形例により、靴底表面の台地状領域が画定される。この台地状領域の表面は好適には平面であり、足が載置されている靴底の実質的に平面の上面に対して略平行であり得る。
【００２６】
しかし、第１変形例および第２変形例の双方において、好適にはこの台地状領域の平面表面は、足が載置されている靴底の実質的な平面上面に対して傾き得る。換言すれば、その後、隆起部は、上記の台形または矩形プロファイルのうちの１つではなく非台形または非矩形厚さプロファイルを有する。台地状領域の表面と上面との間の角度は、靴底の厚さが外側（「足の外側」）から内側（「足の内側」）へと低減する（またはその逆が成立する）ような角度である。その結果、歩行またはランニング時にこのような靴底を装着している場合、歩行またはランニング時における当該人物の動的バランスをとる行動に起因して、足の靴底が地面上に載置された状態または靴底が地面上に載置された状態の足の各ロール動作時に、足および脛骨の内傾または足および脛骨の外傾が発生する。外側に傾いた（外側により肉薄の）台地状領域を備えた靴底は、Ｏ脚の人の歩行修正に用いることができ、内側に傾いた（内側により肉薄の）台地状領域を備えた靴底は、Ｘ脚の人の歩行修正に用いることができる。
【００２７】
好適には、靴底の実質的に平面の上面に対して傾いたこれらの台地状地面接触領域は、少なくとも中足部において設けられるが、好適には、靴底の中足部、母子球部および前足部内のみに設けられる。
【００２８】
また、台地状領域は、少なくとも底部靴底表面の縦部分において（好適には中足部において）、靴底の外側境界線までずっと延び得る。加えて、踵部の部分内および／または母子球部の部分内において、台地状領域は、靴底の外側境界線までずっと延び得る。
【００２９】
第１実施形態の第３変形例において、隆起部は、略Ｓ字状の線に直交する面において曲凸状断面（曲凸状の厚さプロファイル）を有してもよく、曲線状の線により、靴底表面のビーズ状またはレンズ状の領域が画定され、基線により、曲凸状の隆起部と、靴底のバルク（残り）との間の遷移領域が画定される。この曲凸状断面厚さプロファイルにより、矩形厚さプロファイルの場合よりも、強い支持線上において動的にバランスをとることがより困難になる。この理由は、この隆起部に作用する動的力ベクトル（人の「静的＋動的重量」）に起因する曲凸状のプロファイル隆起部の変形（局所的圧縮）に起因して、台形または矩形断面厚さプロファイルの場合のような前の台地状領域が存在せず、狭い後の台地状領域しか存在しないからである。動的力ベクトルの方向が狭い後の台地状領域を通過するこの「支持方向」からごくわずかに逸脱した場合であっても、おそらくは足関節における（矩形断面の場合よりも強い）ずっと強い傾きにより、当該人物は、支持の大幅な低下を感じる。材料の硬度を増加させることにより、この動的バランスをとる行動がより困難であり、挑戦的なものとなる。これは、張り渡されたロープの場合に歩行者が１本の張り渡されたロープ上を歩く場合と同様であると考えることができる。
【００３０】
第１実施形態の第４変形例において、隆起部は、略Ｓ字状の線に直交する面において、曲線状の凹部分を凸断面内（局所的に曲線状の凹厚さプロファイル部分を備えた大域的な凸厚さプロファイル）に有してもよい。この種の厚さプロファイルは、「カンチレバープロファイル」または「ブリッジプロファイル」と呼ばれることが多い。このプロファイルは、靴底表面の隆起部内においてトラフ状または溝状領域を画定する（すなわち、トラフ状または溝状領域が、厚さプロファイルの１つの側部（内側）の第１隆起リッジ状領域および厚さプロファイルの他方の側部（外側）の第２隆起リッジ状領域によって包囲される）。加えて、隆起部は、一方側のリッジ状領域のうちの少なくとも１つと、他方側の靴底のバルク（残り）との間において厚さが低減する遷移領域を有してもよい。この「カンチレバー」または「ブリッジ」厚さプロファイルにより、対応する曲凸状の厚さプロファイルまたは矩形厚さプロファイルまたはさらには台形厚さプロファイルの場合よりも、強い支持線上において動的にバランスをとることがより容易になり、よってより困難でなくなる。この場合も、台形または矩形断面厚さプロファイルの場合と同様に、前の台地状領域は存在しないが、隆起部のトラフ状または溝状部分の両側の隆起部の隆起リッジ状部分それぞれの相対的に強い局所的圧縮と、隆起部の凹トラフ状または溝状部分全てにおける相対的に弱い局所的圧縮または無圧縮とに起因して、広い後の台地状領域が形成される。上記した簡単な曲凸状断面厚さプロファイルの場合と対照的に、矩形厚さプロファイルまたはさらには台形厚さプロファイルの場合、より集中的に圧縮されたリッジ状部分により、より分散してまたは無圧縮のトラフ状または溝状部分の場合よりも、より強い支持が得られる。よって、この隆起部に作用する動的力ベクトル（人の「静的＋動的重量」）がより分散してまたは無圧縮の隆起部領域を通過する「支持方向」からより集中的に圧縮されたリッジ状部分のうちの１つへ向かって逸脱すると、当該人物は、支持の大幅な増加を感じ、動的力ベクトルをリッジ状部分間において保持することが容易になり、その結果、カンチレバーまたはブリッジ厚さプロファイルを用いたこの変形可能な隆起部における歩行保持がずっと容易になる（すなわち、動的バランスをとる行動がより容易になる）。
【００３１】
リッジ状領域間の厚さと靴底のバルク（残り）の厚さとが同じである特殊な場合に、このカンチレバーまたはブリッジ厚さプロファイルを、隣接する２つの曲凸状断面厚さプロファイルとみなすことができる（すなわち、略Ｓ字状の線に沿ってそれぞれ配置されているため、相互に平行である２つのビーズ状またはリッジ状隆起部）。この場合も、このように動的バランスをとる行動がより容易になることは、張り渡されたロープにおいて歩行者が２本の狭い間隔を空けて配置された平行に張り渡されたロープ上を歩行している場合と同様の効果を与えるものとみなすことができる。
【００３２】
断面形状（すなわち、略Ｓ字状の線に対する異なる横断厚さプロファイル）と無関係に、隆起部は、略Ｓ字状の線に沿った一部に沿って測定された、不均一な縦厚さプロファイルを有してもよい。
【００３３】
好適には、隆起部の踵部は、隆起部の中足部よりも厚さが薄くても、あるいはその逆でもよい。
【００３４】
好適には、隆起部の踵部の厚さは、中足部および隆起部の母子球部よりも薄くても、あるいはその逆でもよい。
【００３５】
異なる断面形状（すなわち、異なる横断厚さプロファイル）と組み合わせることにより、隆起部の不均一な縦厚さプロファイルを用いて、歩行またはランニング時にこの画定された厚さ線上において動的にバランスをとるために、異なるレベルのスキルを微調整することができる。
【００３６】
本発明に係る靴底の第２実施形態において、第１靴底部の局所的硬度は、第１靴底部に隣接する第２靴底部の局所的硬度よりも高い。第１靴底部および第２靴底部は、同じ厚さである。この場合、各「組」の第１靴底部および第２靴底部は、異なる材料から構成される。これらの横断「組」はそれぞれ、第１（線上の）部分と、その１つまたは２つの第２（線から外れた）部分（典型的には、略Ｓ字状の線の両側に１つずつ設けられた部分）を有し、より高硬度の材料は、線上の部分に用いられる第１硬度を有し、第１硬度よりも低い第２硬度を有するより軟質の材料が、線から外れた部分それぞれに用いられる。この場合も、第１実施形態と同様に、これらの横断組は全て、略Ｓ字状の線に沿って長さ方向に位置合わせされ、異なる硬度値を用いた硬度プロファイルを略Ｓ字状の線に沿って画定し得る（すなわち、「線に沿った」硬度プロファイル）。よって、異なる材料から構成され、異なる形状を有し、「線に沿って」整列された組を用いて、個別化された靴底を構成することができる。この場合も、整列後、これらの個々の組を相互に取り付け、および／または共通靴底部分（例えば、中間靴底）へ接着または溶接によって取り付けることにより、これらの個々の組を永久接合することができる。
【００３７】
この第２実施形態において、靴底全体は、「通常の」靴と実質的に同じ厚さを有し、「通常の」靴と同様の靴底を有してもよい。
【００３８】
好適には、この第２実施形態において、靴底は、硬質領域を含む。この硬質領域は、靴底の周囲の軟質領域よりも高い硬度を有し、少なくとも略Ｓ字状の線の部分に沿って延びる。その結果、この靴底を各足に装着している人は、より多くの圧力／支持を、（より高硬度の材料線（第２靴底部）から離れた点からよりも）このより高硬度材料線（第１靴底部分）上に配置された点から感じる。当該人物が（静的重量および各足のロール動作時における動的力に起因して）自身の動的力ベクトルを移動させるたびに、この動的ベクトルは、このより高硬度の材料線を通過しなくなり、当該人物は、歩行またはランニング時に最適な地面接触のこのより高硬度の材料線から逸脱するたびに、上記した「瞬時のフィードバック」を再度経験し、「感じる」。
【００３９】
このより高硬度の材料線は、異なる断面硬度プロファイルを有してもよいため、歩行またはランニング時にこの線上において動的にバランスをとるために、異なるレベルのスキルが必要とされてもよい。
【００４０】
第２実施形態の第１変形例において、硬質領域は、略Ｓ字状の線に直交する面において台形硬度プロファイルを有する。この台形硬度プロファイルは、最大硬度コア領域と、コア領域の両側の硬度低下遷移領域とを画定する。硬度は、最大硬度からより低硬度の軟質領域に向かって低下する。動的力ベクトルが最大硬度コア領域（より高硬度の領域）を通過する限り、当該人物は、強い支持を靴底から感じる。最大硬度コア領域のいずれかの側のより弱い支持を有する硬度低下遷移領域のうちの１つを動的力ベクトルが通過した直後、当該人物は、おそらくは足関節の若干の傾きにより、若干の支持低下をこの場合も感じる。
【００４１】
第２実施形態の第２変形例において、硬質領域は、略Ｓ字状の線に直交する面において矩形硬度プロファイルを有する。この矩形硬度プロファイルは、最大硬度コア領域を画定し、より低硬度の軟質領域を有する領域をコア領域の両側に画定する。この場合も、動的力ベクトルが最大硬度コア領域（より高硬度の領域）を通過する限り、当該人物は、強い支持を靴底から感じる。動的力ベクトルが急速遷移領域の１つを通過するかまたは最大硬度コア領域のいずれかの側のより弱い支持を含むこれらの領域を超えた直後、当該人物は、この場合も、おそらくはより強い傾き（台形断面の場合よりも強い傾き）による支持低下を足関節において感じる。
【００４２】
台形硬度プロファイルを用いた第１変形例および矩形硬度プロファイルを用いた第２変形例双方において、靴底表面の最大硬度コア領域が画定される。硬度プロファイル（すなわち、このコア領域内における断面硬度分布）は好適には、足が載置されている靴底の実質的に平面の上面に対して略平行な直線である。
【００４３】
しかし、第１変形例および第２変形例双方において、このコア領域内における硬度プロファイルの直線は好適には、足が載置されている靴底の実質的に平面の上面に対して傾けるとよい。換言すれば、次に、断面硬度分布は、（上記の台形または矩形プロファイルのうちの１つではなく）非台形または非矩形の硬度プロファイルを有する。コア領域内の硬度プロファイルの直線と、上面との間の角度は、靴底の硬度値が横側（「足の外側」）から中間側（「足の内側」）へ向かって低減するかまたその逆も成り立つ角度である。この場合も、その結果、歩行またはランニング時にこのような靴底を装着している場合、歩行またはランニング時に当該人物の動的バランスをとる行動に起因して、足の靴底が地面に載置されているときまたは靴底が地面に載置されている状態での足の各ロール動作時に、足および脛骨の内傾または足および脛骨の外傾が発生する。コア領域内の硬度値が外側に向かって低減する（外側に向かうほどより軟質の）靴底を用いて、Ｏ脚の人の歩行修正を行うことができ、コア領域内の硬度値が内側に向かって低減する（内側に向かうほどより軟質の）靴底を用いて、Ｘ脚の人の歩行修正を行うことができる。
【００４４】
好適には、直線状の硬度プロファイルが靴底の実質的に平面の上面に対して傾いたこれらの硬質コア地面接触領域は、少なくとも中足部内に設けられるが、好適には靴底の中足部、母子球部および前足部内のみに設けられる。
【００４５】
また、直線硬度値分布を含むコア領域は、少なくとも底部靴底表面の縦部分（好適には中足部）において、靴底の外側境界線までずっと延び得る。加えて、踵部の部分内および／または母子球部の部分内において、直線硬度値分布を含むコア領域はまた、靴底の外側境界線までずっと延び得る。
【００４６】
第２実施形態の第３変形例において、硬質領域は、略Ｓ字状の線に直交する面において、曲凸状の硬度プロファイルを有してもよい。この曲凸状の硬度プロファイルは、硬度最大を画定し、硬度最大の両側において硬度低下遷移領域を画定する。硬度は、硬度最大からより低硬度の軟質領域へ向かって低下する。この場合も、この場合、矩形硬度プロファイルの場合よりも、強い支持線上において動的にバランスをとることがさらに困難になる。この理由は、台形または矩形断面硬度プロファイルの場合のような前の最大硬度コア領域が無く、その代わりに、この曲凸状の硬度プロファイル上に作用する動的力ベクトル（人の「静的＋動的重量」）に起因する曲凸状の硬度プロファイルの変形（局所的圧縮）に起因する狭く後の最大硬度コア領域のみがあるからである。動的力ベクトルの方向が狭く後の最大硬度コア領域を通過するこの「支持方向」からごくわずかに逸脱した場合でも、当該人物は、足関節におけるおそらくは（矩形断面の場合よりも）ずっと強い傾きにより、この場合も支持の大幅低下を感じる。材料の全体的硬度を増加させることにより、この動的バランスをとる行動がさらに困難となり、挑戦的なものとなる。この場合も、張り渡されたロープの場合に歩行者が１つの単一の張り渡されたロープを歩行している場合として上記をみなすことができる。
【００４７】
第１実施形態の第４変形例において、硬質領域は、曲線状の凹硬度プロファイル部分を凸断面硬度プロファイル内（大域的に凸の硬度プロファイルおよび局所的に曲線状の凹硬度プロファイル部分）に略Ｓ字状の線に直交する面内に有してもよい。この種の硬度プロファイルは、「カンチレバープロファイル」または「ブリッジプロファイル」とも呼ばれる。このプロファイルは、比較的軟質の材料の局所的トラフまたは溝（局所的に凹硬度プロファイル）を靴底表面の硬質コア領域全体（大域的に凸硬度プロファイル）内に画定する（すなわち、比較的軟質の材料のトラフ状または溝状部分が、硬度プロファイルの１つの側部（内側）上の比較的硬質の材料の第１領域と、硬度プロファイルの他方の側（外側）の比較的硬質の材料の第２領域とによって包囲される）。加えて、硬質の全体的硬質コア領域は、２つの比較的硬質の領域の一方の少なくとも１つと、他方の靴底のバルク（残り）との間において硬度が低下する遷移領域有してもよい。この「カンチレバー」または「ブリッジ」硬度プロファイルにより、対応する曲凸状の厚さプロファイルまたは矩形厚さプロファイルまたはさらには台形厚さプロファイルの場合よりも、強い支持線上において動的にバランスをとることがより容易になりおよびよってより困難でなくなる。この場合も、台形または矩形断面厚さプロファイルの場合と同様に、前の硬質コア領域は存在しないが、全体的硬質コア領域の比較的軟質の材料のトラフ状または溝状部分の両側の全体的硬質コア領域の比較的硬質の材料の２つの領域それぞれの比較的強い局所的圧縮と、全体的硬質コア領域の比較的軟質の材料のトラフ状または溝状部分全てにおける比較的弱い局所的圧縮または無圧縮とに起因して、広い後の硬質コア領域が形成される。上記した曲線のみを用いた凸断面硬度プロファイル、矩形硬度プロファイルまたはさらには台形硬度プロファイルの場合と対照的に、比較的硬質の材料のより集中的に圧縮された２つの領域により、比較的軟質の材料のより分散してまたは無圧縮のトラフ状または溝状部分の場合よりも高い支持が得られる。よって、この全体的硬質コア領域上に作用する動的力ベクトル（人の「静的＋動的重量」）が（より分散してまたは無圧縮の全体的硬質コア領域を通じて比較的硬質の材料のより集中的に圧縮された領域のうちの１つに向かって延びる）「支持方向」から逸脱した場合、当該人物は、支持の急上昇を感じ、比較的硬質の材料の２つの領域間において動的力ベクトルを保持することがより容易になり、よって、カンチレバーまたはブリッジ硬度プロファイルを用いたこの変形可能な全体的硬質コア領域上における歩行保持がずっと容易になる（すなわち、動的バランスをとる行動がより容易になる）。
【００４８】
比較的硬質の材料の２つの領域間の厚さと、靴底のバルク（残り）の硬度とが同一である特殊な例において、このカンチレバーまたはブリッジ硬度プロファイルは、相互に隣接する２つの曲凸状断面硬度プロファイルとみなすこともできる（すなわち、２つの長さ方向に延びる硬質コア領域それぞれが、略Ｓ字状の線に沿っておよびよって相互に平行に配列されたもの）。このように動的バランスをとる行動がより容易になることは、張り渡されたロープの場合に歩行者が間隔を空けて配置された平行に張り渡された２本のロープ上を歩く場合と同様にみなすことができる。
【００４９】
断面硬度プロファイル（すなわち、略Ｓ字状の線に対する異なる横断硬度プロファイル）と無関係に、硬質コア領域は、略Ｓ字状の線に追随する部分に沿って測定された不均一な縦硬度プロファイルも有してもよい。
【００５０】
好適には、硬質領域の踵部は、硬質領域の中足部よりも硬度が低くても、あるいはその逆でもよい。
【００５１】
好適には、硬質領域の踵部は、硬質領域の中足部および母子球部よりも硬度が低くても、あるいはその逆でもよい。
【００５２】
異なる断面硬度プロファイル（すなわち、異なる横断硬度プロファイル）と組み合わせることにより、硬質領域の不均一な縦硬度プロファイルを用いて、この画定された硬度の線上において歩行またはランニング時に動的にバランスをとるために、異なるレベルのスキルを微調整することが可能になる。
【００５３】
好適には、第１靴底部分と、第１靴底部分に隣接する第２靴底部との間の局所的厚さおよび／または局所的硬度の差は、踵部と母子球部との間に延びる中足部において最大になる。その結果、足が中間方向に（内側に向かって（すなわち、他方の足に向かって））傾く傾向の人または足が横方向に（外側に向かって（すなわち、両足から離隔方向に））傾く傾向の人は、各足ロール動作段階において、動的バランスをとる際に特定の問題を経験する。この足ロール動作段階においては、この段階時におけるほとんどの支持を提供しつつ、靴底の中足部が地面と接触する。
【００５４】
好適には、略Ｓ字状の線の画定のために横断厚さプロファイル（第１実施形態）および／または横断硬度プロファイル（第２実施形態）が用いられるかに関係無く、略Ｓ字状の線上の第１靴底部および／または略Ｓ字状の線の両側の第２靴底部は、複数の横断スリットまたは「切り込み」を含み得る。これらのスリットまたは「切り込み」は、靴底の上記長さ方向において、略Ｓ字状の線に沿って間隔を空けて配置され、略Ｓ字状の線上において靴底の横断方向に延びる。これらの横断スリットまたは切り込みにより、各足のロール動作時における靴底のさらなる屈曲および捻れ可撓性が得られる。
【００５５】
第１実施形態の異なる変形例の特徴（すなわち、画定された横断厚さプロファイルを用いたＳ字形状の線に沿った隆起部）は、第２実施形態の異なる変形例の特徴（すなわち、画定された横断硬度プロファイルを用いたＳ字形状の線に沿った硬質領域）と独立的に組み合わせることが可能である。
【００５６】
好適には、これらの横断スリットの縦間隔は１ｍｍ〜１０ｍｍであり、最も好適には２ｍｍ〜６ｍｍである。
【００５７】
好適には、これらのスリットの長さ（すなわち、第１横断寸法）は、隆起部の幅全体にわたっておよび／または硬質領域または（全体的）硬質コア領域の幅全体にわたって延びる。
【００５８】
好適にはこれらのスリットの深さ（すなわち、第２横断寸法）は、隆起部の厚さ全体の１／３〜２／３および／または硬質領域または（全体的）硬質コア領域の厚さ全体の１／３〜２／３にわたって延びる。
【００５９】
好適には、靴底の隆起部の最小厚さは、約２ｍｍである。靴底の隆起部の好適な厚さ範囲は２ｍｍ〜５０ｍｍであり、好適には４ｍｍ〜３０ｍｍである。
【００６０】
エラストマー製の靴底の硬度の画定および測定を行う場合、好適な弾性／硬度スケールは、ショア硬度スケールである。
【００６１】
好適には、最小硬度（すなわち、靴底の最も軟質の領域の硬度値）は約３０ショアである。靴底の好適な硬度範囲は、４０ショア〜８０ショアである。
【００６２】
好適な実施形態において、本発明に係る靴底は、いくつかの異なるコンポーネントによって構成される。これらのコンポーネントはそれぞれ、コンポーネント特有の材料を用いて独立的に作製される。好適には、靴底は、アウトソール部分およびインソール部分を含む。
【００６３】
アウトソール部分は、後ろから前へ順に、靴底に沿って踵部、中足部、母子球部および前足部を含み得る。これら４つの地面接触にする靴底部分は共に、靴底の地面接触領域を構成する。この地面接触領域は、歩行またはランニング時に、最適な地面接触の略Ｓ字状の線を含む。
【００６４】
これらの４つの部分全てまたはいくつかは、適切なエラストマーから一体形成され得る。好適には、４つの部分全ては、１つのピースにおいて１つまたはいくつかの幅狭の接続部分と共に形成される。これらの接続部分は、踵部と中足部との間、中足部と母子球部との間、母子球部と前足部との間に設けられる。その結果、アウトソールの相互接続部分間における高い可撓性が保証される。
【００６５】
あるいは、これらの４つの部分全てを適切なエラストマーからそれぞれ個々のピースとして形成してもよい。その結果、この場合も、アウトソールの部分間における高い可撓性が保証され、個々の特性を有する適切な材料から各部分を構成することができる。好適には、踵部を構成するピースは、中足部および母子球部を構成するピースよりもより軟質のエラストマー材料から構成される。
【００６６】
アウトソール部分は、適切なエラストマーによって構成された基部本体を含み得る。この基部本体に対し、上記した踵部、中足部、母子球部および前足部が例えば溶接、接着または加硫によって接続される。４つの部分のうち１つ以上（例えば、踵部）は、基部本体と同じ硬度でもよいため、例えば射出成形によって第１硬度を有する第１エラストマーから一体形成することができる。４つの部分のうち他方の部分（例えば、中足、球状および前足部）は、例えば射出成形によって（好適には第１エラストマーの第１硬度よりも高い）第２硬度を有する第２エラストマーから形成した後、基部本体へ例えば溶接、接着または加硫によって接続することができる。
【００６７】
加えて、（好適には基部本体の硬度を上回る）第３硬度を有する第３エラストマーによって構成された任意選択の第１または下側インソール部分を、基部本体と、地面接触領域の４つの部分との間に設けることができる。好適には、この下側インソール部分は層状形状であり、基部本体と地面接触部分との間に配置される。最も好適には、隆起部領域によって画定された最適な地面接触の略Ｓ字状の線および／または下側インソール部分の直下の地面接触部分内の硬質コア領域を包含および支持できるような充分な長さおよび幅となるように、この下側インソール部分をシート材料からカットアウトするとよい。好適には、下側インソール部分は肉薄層であり、厚さが１ｍｍ〜５ｍｍ、より好適には２ｍｍ〜４ｍｍである。よって、下側インソール材料が基部本体材料よりも高硬度である場合でも、下側インソール材料は、肉薄形状に起因して高い可撓性を保持できる。
【００６８】
加えて、（好適には基部本体の硬度よりも高い）第４硬度を有する第４エラストマーによって構成された任意選択の第２または上側インソール部分を、足が載置される基部本体の上側側部へ設けることができる。好適には、この上側インソール部分も層状層であり、基部本体の上側側部に設けられる。最も好適には、この上側インソール部分をシート材料からカットアウトする際、隆起部領域によって画定された最適な地面接触の略Ｓ字状の線および／または基部本体の直下および／または下側インソール部分の直下の地面接触部分内の硬質コア領域を包含および支持できるような充分な長さおよび幅を有するようにカットアウトを行う。好適には、上側インソール部分は肉薄層であり、厚さが１ｍｍ〜５ｍｍであり、より好適には２ｍｍ〜４ｍｍである。よって、上側インソールは、肉薄形状に起因して極めて可撓性が高い。
【００６９】
好適には、上側インソール部分および下側インソール部分のカットアウトの外形は同一である。よって、下側および上側の任意選択のインソール部分はどちらとも、同じ製造装置によって形成することができる。
【００７０】
上記した複数の横断スリットまたは「切り込み」は、靴底の長さ方向において略Ｓ字状の線に沿って間隔を空けて配置され、靴底の横断方向に延びる。これらのスリットまたは「切り込み」は、地面接触部分、下側インソール部分および上側インソール部分のうち任意の１つに設けることができる。好適には、靴底の可撓性が増加する横断スリットは、下側インソール部分および／または上側インソール部分のみの内部に「埋設スリット」として設けられる。
【００７１】
好適な実施形態において、靴底母子球部は、第１、第２、第３、第４および第５中足部を靴底の内側Ｍと外側Ｌとの間に有し、以下の条件は、母子球部の横断厚さおよび／または硬度プロファイルに適用される。
【００７２】
−第１中足部の厚さおよび／または硬度は、第２中足部の厚さおよび／または硬度よりも高い。
【００７３】
−第３中足部の厚さおよび／または硬度は、第４中足部の厚さおよび／または硬度よりも小さい。
【００７４】
−第４中足部の厚さおよび／または硬度は、第５中足部の厚さおよび／または硬度よりも小さい。
【００７５】
その結果、足が踵部、中足部、母子球部および前足部の順序で地面に接触して足が地面上をロールすると、上記の母子球部における厚さおよび／または硬度条件により、足が回内する（すなわち、足にかかる重量が、靴底の外側Ｌにおける中足部内の初期位置から内側Ｍにおける母子球部内の後続位置へと移動する）。換言すれば、足の母子球部および靴底が地面上をロールしている間、足が強制的に回内される。足が地面上においてロールする第１段階において、中足部の外側上に作用した後に母子球部の外側上に作用する重量は、母子球部の外側から母子球部の内側へと移動し、足が地面上においてロールする第２段階において、その後、重量は、母子球部の内側に作用した後、前足部の内側（すなわち、母趾）に作用する。
【００７６】
好適には、第２中足部の厚さおよび／または硬度は、第３中足部、第４中足部および第５中足部のいずれかの厚さおよび／または硬度よりも小さい。その結果、足にかかる重量の外側から内側への移動がさらに向上する。
【００７７】
靴底の母子球部内における第１中足部、第２中足部、第３中足部、第４中足部および第５中足部のこれらの条件に起因して、足ロール動作時における重量は、外側Ｌから内側Ｍへと移動する。
【００７８】
より詳細には、重量が外側Ｌに配置された状態で中足部が地面をロールした（バランスをとる行動）後、母子球部が地面をロールすると、重量は母子球部の外側Ｌから母子球部の内側Ｍへと移動し、最終的には前足部が地面上をロールし、重量は内側Ｍに配置される。母子球部内におけるこの移動動作の開始時に、母子球部の第５中足部による支持は、母子球部の隣接する第４および第３中足部による支持を上回る。母子球部内におけるこの移動動作の終了時に、母子球部の第１中足部による支持は、母子球部の第２中足部による支持を上回る。換言すれば、外側Ｌの第５中足部に起因して足が回内し、内側Ｍの第１中足部により、足の過度の回内が抑止される。
【００７９】
よって、靴底の母子球部内における第１中足部、第２中足部、第３中足部、第４中足部および第５中足部のこれらの条件は、２本の連続する傾き曲線を略Ｓ字状の線に沿って設けた場合に得られる効果と同様の効果を与える。これらの条件を用いて、右足の略Ｓ字状の線に沿ったロール動作時に、右足は先ず傾き曲線を通過した後、外側Ｌにおいて左に曲がり、その後傾き曲線を通じて内側Ｍにおいて右に曲がる。同様に、左足の略Ｓ字状の線に沿ったロール動作時に、左足は先ず傾き曲線を通過した後、外側Ｌにおいて右に曲がり、その後傾き曲線を通じて内側Ｍにおいて左に曲がる。
【００８０】
靴底のさらなる好適な実施形態において、中足部の局所的により厚いおよび／またはより高硬度の第１靴底部のＳ字形状の線上において測定された幅は、踵部の局所的により厚いおよび／またはより高硬度の第１靴底部のＳ字形状の線上において測定された幅よりも小さい。
【００８１】
その結果、ランニングまたは歩行時に踵によって靴底が地面と接触して足が地面に着地すると、踵部のより幅広の第１靴底部により、安全な着地および安全な踵の位置決めが得られる。本記載の導入において画定されたような各足の動的バランスをとることまたはフィードバック制御されるロール動作は、足のロール動作がより幅狭の中足部に到達するまで開始しない。
【００８２】
好適には、中足部の局所的により厚いおよび／またはより高硬度の第１靴底部のＳ字形状の線にわたって測定された幅は、Ｓ字形状の線、母子球部の局所的により厚いおよび／またはより高硬度の第１靴底部のＳ字形状の線にわたって測定された幅よりも小さい。
【００８３】
その結果、ランニングまたは歩行時に、各足の動的バランスをとることまたはフィードバック制御されるロール動作は、中足部が地面と接触しているときに主に必要となる。
【００８４】
靴底のさらに好適な実施形態において、踵部の局所的により厚いおよび／またはより高硬度の第１靴底部の局所的厚さＴおよび／または局所的硬度Ｈは、内側Ｍから靴底の外側Ｌに向かって低減する。好適には、踵部の厚さＴは、第１靴底部の幅Ｗに沿って低減する（すなわち、踵部の地面接触のためのより高硬度のおよび／またはより厚い部分）は、内側Ｍから外側Ｌに向かって量ΔＴだけ低減し、これにより、踵部の第１靴底部の地面接触面の傾きを靴底が載置される水平方向平面地面表面に対して測定した場合、平均傾き（グレード）は２％〜２０％である。傾き（グレード）は、厚さの差ΔＴと踵部の第１靴底部の幅Ｗとの間の比ΔＴ／Ｗとして画定される。この幅Ｗは、踵部傾きの勾配線に沿って測定された幅である点に留意されたい。上記した幅Ｗが約５０ｍｍである典型的なミディアムサイズの靴の靴底の場合、これは、厚さ差１ｍｍ〜１０ｍｍに対応する。好適には、踵部の傾いた地面接触面は、平面表面であるか、または、少なくとも８０％が平面である表面である。その結果、残りにおける靴底の踵部と、水平方向平面地面表面との間にくさび形状の隙間が形成される。
【００８５】
その結果、ランニングまたは歩行時に靴底が踵で地面に接触して足が地面に着地すると、踵部の第１靴底部の局所的厚さＴおよび／または局所的硬度Ｈの低下により、誘導的および／または強制的に足が若干回外する。すなわち、足にかかる重量は、着地時における初期の中立または実質的中央位置から靴底の外側Ｌへと移動する。よって、重量は、靴底の外側Ｌにある中足部へと誘導される。上記した好適な傾きの平面状の地面接触面の場合、踵部を誘導する間、踵部と平面地面表面との間のくさび形状隙間は閉鎖される。
【００８６】
よって、靴底の踵部のこれらの条件は、１つの道路側部が他方の道路側部よりも高い実質的に直線状であり、傾いた道路表面に類似する効果を持つ。これらの条件を用いて、略Ｓ字状の線に沿ったロール動作の開始時における足着地の後、足は、外側Ｌに向かって若干傾き、幅狭の中足部へ円滑に誘導される。幅狭の中足部は、靴底の外側Ｌに近接して靴底の外側Ｌに沿って延びる。
【００８７】
さらなる好適な実施形態において、上記されたように後ろから前へ順に踵部、中足部、母子球部または中足部および前足部またはつま先部分を靴底基部本体の底部側部において含む靴底は、特殊な横断厚さおよび／または硬度プロファイルを母子球部において有する。母子球部または中足部において、第２中足骨（Ｍ２）と関連付けられたかまたは第２中足骨（Ｍ２）の直下に設けられた靴底の領域は、第１中足骨、第３中足骨、第４中足骨および第５中足骨のうちいずれかと関連付けられたかまたは第１中足骨、第３中足骨、第４中足骨および第５中足骨のうちいずれかの直下の靴底領域よりも厚さおよび／または硬度が低い。加えて、同じ条件が、母子球部に隣接する靴底の前足部またはつま先部分のうち少なくとも一部に適用され得る（すなわち、第２つま先（Ｔ２）と関連付けられたかまたは第２つま先（Ｔ２）の直下の靴底領域は、第１つま先、第３つま先、第４つま先および第５つま先のいずれかと関連付けられたかまたは第１つま先、第３つま先、第４つま先および第５つま先の直下の靴底領域よりも厚さおよび／または硬度が低い）。好適には、これは、母子球部に隣接する前足またはつま先部分の部分に適用される。母子球部のＭ２部分内のこの凹（「カンチレバー」）ならびに／あるいは軟質領域および任意選択的に隣接する前足部のＴ２部分により、第２中足骨のための一定の圧力除去が得られる。
【００８８】
つまり、局所的支持の量（すなわち、本発明に係る靴底の靴の靴底上において下側から作用する局所的支持力）は、靴底の全体的厚さおよび／または硬度プロファイルによって決定される点に留意されたい。少なくとも基部本体および基部本体と接続された地面接触部分は、その局所的硬度および局所的ジオメトリ（例えば、局所的厚さ分布および可能なスリットの分布）により、得られる局所的支持量に貢献する。加えて、下側インソール部分および／または上側インソール部分を設けることができ、これにより、得られる局所的支持量へさらに貢献することができる。靴底の地面接触部分（踵部、中足部、母子球部および前足部）ならびに任意選択のインソール部分（下側インソール部分および／または上側インソール部分）は全て、略Ｓ字状の線に沿って延びる隆起部および／または硬質コア領域に貢献する。
【００８９】
当業者にとって、本発明による靴底の好適な実施形態を示す添付図面と共に本明細書中を参照すれば、本発明のさらなる理解および本発明のさらなる特徴が明らかである。
【図面の簡単な説明】
【００９０】
【図１】本発明に係る靴底の実施形態の内側を示す側面図である。
【図２】本発明に係る靴底の実施形態の外側を示す側面図である。
【図３】本発明に係る靴底の実施形態の地面接触領域を示す底面図である。
【図４】本発明に係る靴底の実施形態の足接触領域を示す上面図である。
【図５】本発明に係る靴底の実施形態の第１コンポーネント（基部本体）の斜視底面図である。
【図６】本発明に係る靴底の実施形態の第２コンポーネント（地面接触部分）の底面図である。
【図７】本発明に係る靴底の実施形態の第１コンポーネント（基部本体）の上面図である。
【図８】本発明に係る靴底の実施形態の第３または第４コンポーネント（下側または上側インソール）の上面図である。
【図９Ａ】本発明に係る靴底の実施形態の、図３または図４の方向ａ）からみた場合の図３または図４の面Ｍ−Ｌに沿った第１の好適な断面を示す。
【図９Ｂ】本発明に係る靴底の実施形態の、図３または図４の方向ａ）からみた場合の図３または図４の面Ｍ−Ｌに沿った第２の好適な断面を示す。
【図９Ｃ】本発明に係る靴底の実施形態の、図３または図４の方向ａ）からみた場合の図３または図４の面Ｍ−Ｌに沿った第３の好適な断面を示す。
【図１０Ａ】本発明に係る靴底の実施形態の、図３または図４の面Ｍ−Ｌに沿った第１の好適な厚さプロファイルまたは硬度プロファイルを示す。
【図１０Ｂ】本発明に係る靴底の実施形態の、図３または図４の面Ｍ−Ｌに沿った第２の好適な厚さプロファイルまたは硬度プロファイルを示す。
【図１０Ｃ】本発明に係る靴底の実施形態の、図３または図４の面Ｍ−Ｌに沿った第３の好適な厚さプロファイルまたは硬度プロファイルを示す。
【図１０Ｄ】本発明に係る靴底の実施形態の、図３または図４の面Ｍ−Ｌに沿った第４の好適な厚さプロファイルまたは硬度プロファイルを示す。
【図１０Ｅ】本発明に係る靴底の実施形態の、図３または図４の面Ｍ−Ｌに沿った第５の好適な厚さプロファイルまたは硬度プロファイルを示す。
【図１０Ｆ】本発明に係る靴底の実施形態の、図３または図４の面Ｍ−Ｌに沿った第６の好適な厚さプロファイルまたは硬度プロファイルを示す。
【図１０Ｇ】本発明に係る靴底の実施形態の、図３または図４の面Ｍ−Ｌに沿った第７の好適な厚さプロファイルまたは硬度プロファイルを示す。
【図１０Ｈ】本発明に係る靴底の実施形態の、図３または図４の面Ｍ−Ｌに沿った第８の好適な厚さプロファイルまたは硬度プロファイルを示す。
【図１０Ｉ】本発明に係る靴底の実施形態の、図３または図４の面Ｍ−Ｌに沿った第９の好適な厚さプロファイルまたは硬度プロファイルを示す。
【発明を実施するための形態】
【００９１】
図１および図２において、本発明に係る右足用靴底１の内側（足アーチの側部）および外側がそれぞれ、右足最終部２と共に図示されている。靴底１は、後ろから前へ順に、踵部３と、中足部４と、母子球部５と、前足部６とを靴底基部本体７の底部側部に含む。これを図５（斜視底面図）および図７（上面図）中により明確に示す。また、基部本体７の傾き領域７ｃおよび上側縁部７ｅが図示される。基部本体７の傾き領域７ｃは、靴底１の踵部３、中足部４、母子球部５および前足部６の下面によって画定された（図３中に最良に示すような）比較的幅狭の地面接触領域と、上側側部７ｆの足接触表面および靴底１の上側足接触台地状部の上側インソール８によって画定された（図４から最もよくわかるように）ずっと幅広の足接触領域との間に遷移領域を構成する。前足部６は、前方接合部分６６を含む。前方接合部分６６は、上方に延びて、基部本体７の前部分を部分的に被覆し、いくつかのつま先部分６１，６２，６３，６４，６５を接合する（図３および図６）。
【００９２】
図３において、本発明に係る靴底１の地面接触領域の底面図が図示される。靴底１の踵部３、中足部４、母子球部５および前足部６の下面によって画定された地面接触領域は、歩行またはランニング時に最適な地面接触の略Ｓ字状の線Ｇを含む。この線Ｇは、踵部３から開始し、中足部４および母子球部５に沿って延びて、前足部６で終端する。典型的には、線Ｇは、母子球部５のいずれかの場所において１つの湾曲点ＰＩを有する。より詳細には、靴底１の前足部６は、母趾部分６１と、第２つま先部分６２と、第３つま先部分６３と、第４つま先部分６４と、第５つま先部分６５とを含む。地面接触領域の部分３，４，５，６１，６２，６３，６４，６５のうち全てまたはいくつかは、基部本体７に接続され、基部本体７の下側縁部７ｂによって少なくとも部分的に包囲または「フレーム」される。地面接触領域の内側および外側双方において、傾き領域７ｃは、下側縁部７ｂから靴底１の上側足接触台地状部のずっと幅広の足接触領域へと延びる。内側Ｍにおいて、この傾き領域７ｃは、下側縁部７ｂから上側足接触台地状部の下側側部７ｄへと延びる。外側Ｌにおいて、この傾き領域７ｃは、下側縁部７ｂからステップ領域７ｄ′へと延びる。外側Ｌにおいて、傾き７ｃは、内側Ｍにおけるよりも急傾きである。靴底のアーチ領域は、このステップ領域７ｄ′と、上側足接触台地状部の下側側部７ｄの残りとを含む。このステップ領域７ｄ′において、靴底１は、内側Ｍおよび外側Ｌの下側側部７ｄの残りよりも肉厚である。ステップ領域７ｄ′のこの余分な厚さにより、靴底１の基部本体７の安定性が増す。
【００９３】
図４において、本発明に係る靴底１の実施形態の足接触領域の上面図が図示されている。足接触領域は、上側側部７ｆの足接触表面と、靴底１の上側足接触台地状部の上側インソール８とによって画定され、この場合も、歩行またはランニング時に最適な地面接触の略Ｓ字状の線Ｇを含む。上側インソール８の形状は、内側Ｍおよび（踵部３から開始する線Ｇの）外側Ｌ双方から延びて、典型的には（母子球部５のいずれかの位置にある）１つの湾曲点ＰＩと共に前足部６までずっと延びるような形状である。上側側部７ｆおよび上側インソール８によって画定された足接触領域は、上側縁部７ｅによって包囲または「フレーム」される。上側インソール８は、上側足接触表面内の相補的凹部内に配置される。
【００９４】
つまり、図１、図２、図３および図４に示す靴底１の好適な実施形態は、第１基部本体７（図５、図７）と、基部本体７の底部側部に配置された第２地面接触領域であって、第２地面接触領域は、踵部３、中足部４、母子球部５および前足部６（図６）の下面によって画定される、第２地面接触領域と、足接触領域内の凹部内に配置された上側インソール８（図８）とを含む。加えて、下側インソール（図示せず）は好適には、上側インソール８と同じ形状を有し、基部本体７と地面接触領域との間に挿入され得る。
【００９５】
図５において、本発明に係る靴底１の基部本体７の斜視底面図が図示されている。基部本体７のいくつかの部分は、図１、図２および図３中において既に図示および記載されており、図５中により良く図示されている。基部本体７の底部側部の構成は、図６に示す踵部３、中足部４、母子球部５および前足部６によって画定された地面接触領域の外形に対して相補的である。より詳細には、基部本体７は、下側縁部７ｂによって包囲または「フレーム」された下側凹面７ａを有する。下側凹面の主要部分７ａは、上側インソール８と同じ外形を有する下側インソールを受容する上側足接触表面内の凹部と同じ外形を有する。下側インソール（図示せず）および上側インソール８は、図４および図８中に最良に図示され、同じ形状（すなわち同じ外形および同じ厚さ）を有してもよく、好適には基部本体７の材料よりもより高硬度の同じ材料によって構成され得る。基部本体７の下側凹面のより小型の部分７ａ１，７ａ２，７ａ３，７ａ４，７ａ５は、靴底１の前足部６に対応し、基部本体７の下側縁部７ｂによって分離される。これらのより小型の部分７ａ１，７ａ２，７ａ３，７ａ４，７ａ５の外形は、つま先部分６１，６２，６３，６４，６５の外形に対してそれぞれ相補的である。よって、踵部３、中足部４および母子球部５は、下側凹面の主要部分７ａ内に受容され得、前足部６のつま先部分６１，６２，６３，６４，６５は、下側凹面のより小型の部分７ａ１，７ａ２，７ａ３，７ａ４，７ａ５内に受容され得る。外側Ｌにおいて、下側縁部７ｂから上側足接触台地状部の下側側部７ｄへと延びる傾き領域７ｃも、長さ方向において下側凹面７ａのより小型の部分７ａ５から踵部３へと延びる。内側Ｌにおいて、下側縁部７ｂからステップ領域７ｄ′へと延びる傾き領域７ｃも、長さ方向において母子球部５から踵部３へと延びる。外側Ｌにおいて、傾き７ｃは、足アーチが配置された内側Ｌよりも急傾きである。
【００９６】
図６において、本発明に係る靴底１の地面接触部分３，４，５，６の底面図が図示されている。外側Ｌに向かう横断方向において、踵部３、中足部４、母子球部５および前足部６は全て、横（Ｌ）の靴底１の外側外形線まで（すなわち、横（Ｌ）の基部本体７の外側外形線まで）ほとんどずっと延びる。内側Ｍに向かう横断方向おいて、踵部３の後部分、母子球部５の前部分および前足部６全体が、靴底１の中間（Ｍ）外側外形線まで（すなわち、中間（Ｍ）の基部本体７の外側外形線まで）ほとんどずっと延び、踵部３の中間部分および前部分、中足部４全体および母子球部５の後部分は、中間（Ｍ）において途中の靴底１の外側外形線まで（すなわち、中間（Ｍ）の基部本体７の外側外形線まで）延びる。前足部６において、母趾部分６１、第２つま先部分６２、第３つま先部分６３、第４つま先部分６４および第５つま先部分６５は、下側縁部７ｂのパターンに対応するスリットにより、相互に分離される。前足部６の前部分において、個々のつま先部分６１，６２，６３，６４，６５は、接合部分６６により接合される。（例えば、接着または溶接による）組立時に、地面接触部分３，４，５，６は、下側凹面７ａへ挿入される。より詳細には、地面接触部分３，４，５は、下側凹面の主要部分７ａへ挿入され、地面接触するつま先部分６１，６２，６３，６４，６５は、下側凹面のより小型の部分７ａ１，７ａ２，７ａ３，７ａ４，７ａ５へそれぞれ挿入される。
【００９７】
図７において、本発明に係る靴底１の基部本体７の上面図が図示されている。上側側部７ｆは、上側インソール８を受容する上側凹面７ｇを有する。また、上側側部７ｆ全体および前足部６の接合部分６６の周りの上側縁部７ｅは、基部本体７の部分を部分的に被覆する基部本体７の前端において上方方向に延びる。
【００９８】
図８において、本発明に係る靴底１の下側または上側インソール８の上面図が図示されている。下側および上側インソールは同じ外形を有するが、異なる材料からなる場合もありかつ／または異なる厚さからなる場合もある。好適には、下側インソール８および／または上側インソール（図示せず）は、横断方向（すなわち、最適な地面接触の略Ｓ字状の線に対して直交方向に延びる方向）において厚さプロファイルを有する。加えて、下側インソール８および／または上側インソール（図示せず）は、横断方向または最適な地面接触の略Ｓ字状の線に対して直交する方向に延びるスリットを有する。
【００９９】
つまり、本発明に係る靴底１の全体的横断厚さプロファイルおよび／または硬度プロファイル（すなわち、略Ｓ字状の線Ｇに対して直交または垂直な方向に延びる断面における厚さプロファイルおよび／または硬度プロファイル）は、基部本体７の横断厚さプロファイルおよび／または硬度プロファイルによって決定され得、地面接触部分３，４，５，６それぞれの横断厚さプロファイルおよび／または硬度プロファイルによって決定され得、また、上側インソール８の横断厚さプロファイルおよび／または硬度プロファイルによって決定され得、また、下側インソール（図示せず）の横断厚さプロファイルおよび／または硬度プロファイルによって任意選択的に決定され得る。
【０１００】
同様に、本発明に係る靴１の全体的縦厚さプロファイルおよび／または硬度プロファイル（すなわち、略Ｓ字状の線Ｇに対して平行方向または接線方向に延びる断面における厚さプロファイルおよび／または硬度プロファイル）は、基部本体７の縦厚さプロファイルおよび／または硬度プロファイルによって決定され得、地面接触部分３，４，５，６それぞれの縦厚さプロファイルおよび／または硬度プロファイルによって決定され得、上側インソール８の縦厚さプロファイルおよび／または硬度プロファイルによって決定され得、また、下側インソール（図示せず）の縦厚さプロファイルおよび／または硬度プロファイルによって任意選択的に決定され得る。
【０１０１】
加えて、本発明に係る縦軸周囲における全体的可撓性（および特に靴底１のねじり可撓性）（すなわち、略Ｓ字状の線Ｇに対して平行方向または接線方向の軸周囲における可撓性）は、略Ｓ字状の線を横断する方向に延びた、長さ方向に間隔を空けて配置されたスリットによって決定され得る。これらのスリットは、基部本体７内に設けてもよいし、地面接触部分３，４，５，６のうちいずれか１つまたは全てに設けてもよいし、上側インソール８に設けてもよいし、また、任意選択的に下側インソール（図示せず）に設けてもよい。
【０１０２】
図９Ａ、図９Ｂおよび図９Ｃにおいて、本発明による靴底１の図３または図４の方向ａ）においてみた場合の図３または図４の面Ｍ−Ｌに沿った好適な中足部断面が図示されており、面Ｍ−Ｌに沿った点ＰＭおよびＰＬは、図３および図４および図９Ａ中の対応する位置を示す。簡潔にするため、好適な複合材料または多層構造（基部本体７、地面接触部分３，４，５，６、上側インソール８、下側インソール）に起因して視認可能となる断面における構造的差は、これらの断面において図示していない。
【０１０３】
図９Ａに示す横断断面の（一定硬度の）横断厚さＴプロファイルは、横断厚さＴプロファイルであり、比較的幅狭の地面接触台地状領域１１を有する。この台地状領域１１は、最適な地面接触の略Ｓ字状の線Ｇを含み、および内側Ｍに向かって厚さが低減する第１傾き領域１２と、外側Ｌに向かって厚さが低減する第２傾き領域１３とを有する。これは、少なくとも略Ｓ字状の線Ｇの縦部分に沿って延びる視認可能な隆起部１１，１２，１３の一例である。
【０１０４】
図９Ｂに示す横断断面の横断厚さＴプロファイルは、横断厚さＴプロファイルであり、比較的幅広でありかつ比較的厚い地面接触台地状領域１１′を有する。この地面接触台地状領域１１′は、最適な地面接触の略Ｓ字状の線Ｇを含み、同様に、内側Ｍに向かって厚さが低減する第１傾き領域１２′と、外側Ｌに向かって厚さが低減する第２傾き領域１３′とを有する。第１材料の横断厚さプロファイルに加えて、この断面は、第１材料の硬度よりも低い硬度を有する第２材料の横断厚さプロファイルを有する。これは、少なくとも略Ｓ字状の線Ｇの縦部分に沿って延びる視認不可能な硬質コア領域１１′，１２′，１３′の一例である。
【０１０５】
図９Ｃに示す横断断面の横断硬度Ｈプロファイル（すなわち、（一定厚さの）硬度Ｈの曲線）は、横断硬度Ｈプロファイルであり、比較的幅狭の硬質コア領域１１″を有する。硬質コア領域１１″は、最適な地面接触の略Ｓ字状の線Ｇを含み、硬度曲線において内側Ｍに向かって硬度が低減する第１傾き領域１２″と、硬度曲線において外側Ｌに向かって硬度が低減する第２硬度傾き領域１３″とを有する。これは、少なくとも略Ｓ字状の線Ｇの縦部分に沿って延びる視認不可能な硬質コア領域１１″，１２″，１３″の別の例である。
【０１０６】
図１０Ａ、図１０Ｂ、図１０Ｃ、図１０Ｄ、図１０Ｅ、図１０Ｆおよび図１０Ｇにおいて、本発明による靴底１の図３または図４の面Ｍ−Ｌに沿った好適な横断厚さプロファイル（隆起部）および／または硬度プロファイル（硬質コア領域）が図示されており、この場合も、面Ｍ−Ｌに沿った点ＰＭおよびＰＬは、図３および図４および図９Ａ中の対応する位置を示す。この場合も、簡潔にするため、好適な複合材料または多層構造に起因してこれらの断面において視認可能となる断面の任意の構造的差（基部本体７、地面接触部分３，４，５，６、上側インソール８、下側インソール）は、これら断面中に図示していない。
【０１０７】
図１０Ａにおいて、台形プロファイルが図示される。
【０１０８】
図１０Ｂにおいて、矩形プロファイルが図示される。
【０１０９】
図１０Ｃにおいて、曲凸状のプロファイルが図示される。
【０１１０】
図１０Ｄにおいて、曲線状の凹底部線を用いた改変された台形プロファイル（「カンチレバー台形プロファイル」）が図示される。
【０１１１】
図１０Ｅにおいて、曲線状の凹底部線を用いた改変された矩形プロファイル（「カンチレバー矩形プロファイル」）が図示される。
【０１１２】
図１０Ｆにおいて、横方向に傾いた直線底部線を用いた（外側に向かって厚さおよび／または硬度が低減する）プロファイルが図示される。
【０１１３】
図１０Ｇにおいて、中間に傾いた直線底部線を用いた（内側向かって厚さおよび／または硬度が低減する）プロファイルが図示される。
【０１１４】
図１０Ｈにおいて、横方向に傾いた曲凸状のプロファイルを用いた（両側に向かって厚さおよび／または硬度が低減し、外側に向かって厚さおよび／または硬度がより低減する）プロファイルが図示される。
【０１１５】
図１０Ｉにおいて、中間方向に傾いた曲凸状のプロファイルを用いた（両側に向かって厚さおよび／または硬度が低減し、および内側に向かって厚さおよび／または硬度がより低減する）プロファイルが図示される。
【０１１６】
好適には、これらのプロファイルは中足部４において用いられる。しかし、これらのプロファイルのうちいくつかを中足部４以外のインソール部分（例えば、踵部３または母子球部５内のもの）において用いてもよい。詳細には、図１０Ｆに示すプロファイルは、踵部３において用いられ得る。
【０１１７】
カンチレバープロファイル（例えば、図１０Ｄまたは図１０Ｅに示すもの）は、靴底１の母子球部５および前足部６に設けられ得る。第２中足骨（Ｍ２）と関連付けられた靴底１の領域は、他方の中足骨と関連付けられた靴底の領域よりも厚さが小さくかつ／または硬度が小さい。加えて、少なくとも前足部６の部分または母子球部５に隣接する靴底のつま先部分（すなわち、第２つま先（Ｔ２）と関連付けられた靴底１の領域）は、他方のつま先と関連付けられた靴底の領域よりも厚さが小さくかつ／または硬度が小さい。好適には、これは、前足部６のつま先部分６２へ適用される。この設計により、第２中足骨（Ｍ２）への圧力が低減し、また、歩行時における第２中足骨（Ｍ２）と第２つま先（Ｔ２）との間における関節に対する一定の解放も得られる。
【０１１８】
加えて、以下の条件は、靴底１の内側Ｍと外側Ｌとの間に第１中足骨部Ｍ１、第２中足骨部Ｍ２、第３中足骨部Ｍ３、第４中足骨部Ｍ４および第５中足骨部Ｍ５を有する母子球部５の横断厚さおよび／または硬度プロファイルに適用され得る。
【０１１９】
ａ）Ｍ２の厚さおよび／または硬度は、Ｍ１，Ｍ２，Ｍ３，Ｍ４のうちいずれかの厚さおよび／または硬度よりも低く、好適にはＭ１，Ｍ３，Ｍ４，Ｍ５は全て、同じ厚さおよび／または硬度を有する。
【０１２０】
（「Ｍ２＜Ｍ１，Ｍ３，Ｍ４，Ｍ５および好適にはＭ１＝Ｍ３＝Ｍ４＝Ｍ５」）
ｂ）Ｍ１の厚さおよび／または硬度は、Ｍ２の厚さおよび／または硬度よりも大きく、Ｍ３，Ｍ４，Ｍ５全ての厚さおよび／または硬度は、Ｍ１，Ｍ２の厚さおよび／または硬度間に収まる。
【０１２１】
（「Ｍ２＜Ｍ３，Ｍ４，Ｍ５＜Ｍ１」）
ｃ）Ｍ１の厚さおよび／または硬度は、Ｍ２の厚さおよび／または硬度よりも大きく、Ｍ３，Ｍ４，Ｍ５全ての厚さおよび／または硬度は、Ｍ１の厚さおよび／または硬度よりも高い。
【０１２２】
（「Ｍ２＜Ｍ１＜Ｍ３，Ｍ４，Ｍ５」）
ｄ）Ｍ１の厚さおよび／または硬度は、Ｍ２の厚さおよび／または硬度よりも大きく、Ｍ３の厚さおよび／または硬度は、Ｍ４の厚さおよび／または硬度よりも大きく、Ｍ４の厚さおよび／または硬度は、Ｍ５の厚さおよび／またはＭ５の硬度よりも高い。
【０１２３】
（「Ｍ２＜Ｍ１およびＭ３＞Ｍ４＞Ｍ５」）
ｅ）Ｍ１の厚さおよび／または硬度は、Ｍ２の厚さおよび／または硬度よりも大きく、Ｍ３の厚さおよび／または硬度は、Ｍ４の厚さおよび／または硬度よりも低く、Ｍ４の厚さおよび／または硬度は、Ｍ５の厚さおよび／または硬度よりも低く、好適にはＭ２の厚さおよび／または硬度は、Ｍ３，Ｍ４，Ｍ５のいずれかの厚さおよび／または硬度よりも低い。条件ｅ）は、最も好適な条件である。
【０１２４】
（「Ｍ２＜Ｍ１およびＭ３＜Ｍ４およびＭ４＜Ｍ５」および好適にはＭ２＜Ｍ３，Ｍ４，Ｍ５））
好適には、Ｍ１の厚さおよび／または硬度は、Ｍ５の厚さおよび／または硬度よりも高い。
【０１２５】
靴底１の母子球部５における第１中足骨部Ｍ１、第２中足骨部Ｍ２、第３中足骨部Ｍ３、第４中足骨部Ｍ４および第５中足骨部Ｍ５のこれらの条件に起因して、足のロール動作時における重量は、外側Ｌから内側Ｍへと移動する。
【０１２６】
より詳細には、重量が外側Ｌに配置された状態で踵部３が地面に接触し、中足部４が地面上においてロール動作した後（動的バランスをとる行動）、母子球部５は地面上においてロールし、その結果、重量は母子球部５の外側Ｌから母子球部５の内側Ｍへ移動し、最終的には前足部６は地面上をロールし、重量は内側Ｍに配置される。母子球部５内におけるこの移動作用の開始時に、母子球部５の第５中足骨部Ｍ５は、母子球部５の隣接する第４中足骨部Ｍ４および第３中足骨部Ｍ３よりも高い支持を提供する。母子球部５内におけるこの移動作用の終了時に、母子球部５の第１中足骨部Ｍ１は、母子球部５の第２中足骨部Ｍ２よりも高い支持を提供する。よって、外側Ｌの第５中足骨部Ｍ５に起因して足が回内し、内側Ｍの第１中足骨部Ｍ１により、過度の足回内が抑止される。
【０１２７】
加えて、第１つま先部Ｔ１（＝６１）、第２つま先部Ｔ２（＝６２）、第３つま先部Ｔ３（＝６３）、第４つま先部Ｔ４（＝６４）および第５つま先部Ｔ５（＝６５）を靴底１の内側Ｍおよび外側Ｌ間に有する前足部６の横断厚さおよび／または硬度プロファイルへ類似の条件を適用することができる。
【０１２８】
ａ）Ｔ１の厚さおよび／または硬度は、Ｔ２，Ｔ３，Ｔ４，Ｔ５のうちいずれかの厚さおよび／または硬度よりも大きく、好適には、Ｔ２，Ｔ３，Ｔ４，Ｔ５は全て、同じ厚さおよび／または硬度を有する。
【０１２９】
（「Ｔ１＞Ｔ２，Ｔ３，Ｔ４，Ｔ５および好適にはＴ２＝Ｔ３＝Ｔ４＝Ｔ５」）
ｂ）Ｔ１の厚さおよび／または硬度は、Ｔ２の厚さおよび／または硬度よりも大きく、Ｔ２の厚さおよび／または硬度は、Ｔ３の厚さおよび／または硬度よりも大きく、Ｔ３の厚さおよび／または硬度は、Ｔ４の厚さおよび／または硬度よりも大きく、Ｔ４の厚さおよび／または硬度は、Ｔ５の厚さおよび／または硬度よりも高い。
【０１３０】
（「Ｔ１＞Ｔ２＞Ｔ３＞Ｔ４＞Ｔ５」）
ｃ）Ｔ１の厚さおよび／または硬度は、Ｔ２，Ｔ３，Ｔ４，Ｔ５のうちのいずれかの厚さおよび／または硬度よりも低く、好適には、Ｔ２，Ｔ３，Ｔ４，Ｔ５は全て同じ厚さおよび／または硬度を有する。
【０１３１】
（「Ｔ１＜Ｔ２，Ｔ３，Ｔ４，Ｔ５および好適にはＴ２＝Ｔ３＝Ｔ４＝Ｔ５」）
ｄ）Ｔ１の厚さおよび／または硬度は、Ｔ２の厚さおよび／または硬度よりも低く、Ｔ２の厚さおよび／または硬度は、Ｔ３の厚さおよび／または硬度よりも低く、Ｔ３の厚さおよび／または硬度は、Ｔ４の厚さおよび／または硬度よりも低く、Ｔ４の厚さおよび／または硬度は、Ｔ５の厚さおよび／または硬度よりも低い。
【０１３２】
（「Ｔ１＜Ｔ２＜Ｔ３＜Ｔ４＜Ｔ５」）
ｅ）Ｔ１の厚さおよび／または硬度は、Ｔ２の厚さおよび／または硬度よりも大きく、Ｔ２は、Ｔ３と同じ厚さおよび／または硬度を有し、Ｔ３の厚さおよび／または硬度は、Ｔ４の厚さおよび／または硬度よりも低く、Ｔ４の厚さおよび／または硬度は、Ｔ５の厚さおよび／または硬度以下である。
【０１３３】
（「Ｔ１＞Ｔ２およびＴ２＝Ｔ３およびＴ３＜Ｔ４およびＴ４≦Ｔ５」）
上記の横断プロファイルにおいて、厚さおよび／または硬度部分Ｍ１，Ｍ２，Ｍ３，Ｍ４，Ｍ５およびＴ１，Ｔ２，Ｔ３，Ｔ４，Ｔ５それぞれの間の遷移は、段階的であってもよいし、あるいは平滑な遷移であってもよい。
【０１３４】
加えて、以下の条件は、踵部３の横断厚さおよび／または硬度プロファイルへ適用され得る。
【０１３５】
ｆ）中足部４の局所的により厚いおよび／またはより高硬度の靴底部分の全ての幅Ｗ４の最大幅Ｗ４および平均は、踵部３の局所的により厚いおよび／またはより高硬度の靴底部分の最大幅Ｗ３および全ての幅Ｗ３の平均よりもそれぞれ低い。
【０１３６】
（「Ｗ４＜Ｗ３」）
ｇ）踵部３の局所的により厚いおよび／またはより高硬度の靴底部分の局所的厚さＴおよび／または局所的硬度Ｈは、例えば図１０Ｆに示すように、内側Ｍから靴底１の外側Ｌへ向かって低減する。踵部のこの地面接触面の平均傾き量は、水平方向に対して２％〜２０％である。（図９Ａ、図９Ｂおよび図９Ｃ中の参照符号１１，１１′，１１″にそれぞれ対応する）踵部３の第１靴底部分の地面接触面の傾きは、２％〜２０％の平均または一定の傾きを有し、傾きは、厚さ差ΔＴと踵部３の第１靴底部分の勾配線幅Ｗとの間の比ΔＴ／Ｗとして画定される。この幅Ｗは、踵部３の傾きの勾配線に沿って測定された幅である点に留意されたい。そのため、Ｗは最大幅Ｗ３と同じ場合があるが、Ｗ３とは異なる可能性が高い。
【０１３７】
ｈ）中足部４の局所的により厚いおよび／またはより高硬度の靴底部分の全ての幅Ｗ４の最大幅Ｗ４および平均は、母子球部５の局所的により厚いおよび／またはより高硬度の靴底部分の最大幅Ｗ５および全ての幅Ｗ５の平均よりもそれぞれ低い。
【０１３８】
（「Ｗ４＜Ｗ５」）
最大幅Ｗ３、Ｗ４およびＷ５は、踵部３、中足部４および母子球部５それぞれにおけるＳ字形状の線Ｇに対して垂直な方向において測定された点に留意されたい。
【０１３９】
また、上記の幅Ｗ３、Ｗ４およびＷ５の平均は、踵部３、中足部４および母子球部５それぞれにおけるＳ字形状の線Ｇに沿った全ての（典型的には異なる）幅の平均である点に留意されたい。
【０１４０】
好適には、少なくとも条件ｆ）およびｇ）は、本発明に係る靴底１において組み合わされる。その結果、踵部３の地面上への着地後に足が回外し、また、踵部３から中足部４への円滑な遷移も得られる。
【０１４１】
最も好適には、母子球部５についての条件ｅ）およびｈ）と、踵および中足部３および４についての条件ｆ）と、踵部３についての条件ｇ）とが組み合わされる。
【０１４２】
これらの条件を組み合わせることにより、各足は、地面上におけるロール動作時に、以下の３つの段階を経験する。
【０１４３】
１）第１段階または強制回外段階において、地面へ着地した後、踵部３により足が強制的に回外される。換言すれば、靴底１は制御をとり、外側Ｌに強制的に誘導する。
【０１４４】
２）第２段階または動的バランスをとる段階において、足は、リッジ状中足部４において動的にバランスをとらなければならない。換言すれば、靴底１は制御をとらず、強制誘導も提供しない。すなわち、歩行者またはランナーは、例えば、インソール８から足靴底へと伝送される圧力と、足関節における任意の若干の傾きからのフィードバックとに依存しなければならない。
【０１４５】
３）第３段階または強制回内段階において、足は、母子球部５により強制的に回内される。換言すれば、靴底１が制御を取り戻し、内側Ｍに強制的に誘導する。
【０１４６】
地面上における足のロール動作全体において、歩行者またはランナーは、歩行またはランニングにおいて、最適な地面接触の略Ｓ字状の線を感じる。換言すれば、インソール８の効果により、歩行またはランニングにおいて固有受容が向上する。靴底１の足接触面またはその近隣におけるインソール８による圧力と、靴底１の地面接触面におけるＳ字形状の線のＴおよび／またはＨプロファイルによる圧力とに基づいた全体的固有受容は、中足部４における動的バランスをとる（歩行者またはランナーへのフィードバックが得られる）段階において最も強くなる。
【図１】
0005993016.tif 000002
【図２】
0005993016.tif 000003
【図３】
0005993016.tif 000004
【図４】
0005993016.tif 000005
【図５】
0005993016.tif 000006
【図６】
0005993016.tif 000007
【図７】
0005993016.tif 000008
【図８】
0005993016.tif 000009
【図９Ａ】
0005993016.tif 000010
【図９Ｂ】
0005993016.tif 000011
【図９Ｃ】
0005993016.tif 000012
【図１０Ａ】
0005993016.tif 000013
【図１０Ｂ】
0005993016.tif 000014
【図１０Ｃ】
0005993016.tif 000015
【図１０Ｄ】
0005993016.tif 000016
【図１０Ｅ】
0005993016.tif 000017
【図１０Ｆ】
0005993016.tif 000018
【図１０Ｇ】
0005993016.tif 000019
【図１０Ｈ】
0005993016.tif 000020
【図１０Ｉ】
0005993016.tif 000021